(57)【要約】【課題】    ベンチュリノズルより吐出する液体の粒子を小さくすることができる霧化装置を提供する。【解決手段】    霧化装置Ｍは、液体を霧化するベンチュリノズル１２を配設した霧化装置Ｍであって、液体２が貯留された容器１と、この容器１に装着され、容器１の内方と外方を連通する通路１３を有する霧化装置本体１０とを備え、霧化装置本体１０に設けたベンチュリノズル１２を容器１内に臨ませ、ベンチュリノズル１２に対向して、ベンチュリノズル１２より吐出する噴霧化された液体を衝突させる衝突板１４を霧化装置本体１０に取り付け、衝突板１４で衝突した噴霧化された液体は容器１内に供給され、通路１３を介して容器１の外方へと導かれるものである。【選択図】図１
2016112539.tif 000002
【特許請求の範囲】
【請求項１】
液体を霧化するベンチュリノズルを配設した霧化装置であって、
前記液体が貯留された容器と、
この容器に装着され、前記容器の内方と外方を連通する通路を有する霧化装置本体とを備え、
前記霧化装置本体に設けた前記ベンチュリノズルを前記容器内に臨ませ、
前記ベンチュリノズルに対向して、前記ベンチュリノズルより吐出する噴霧化された液体を衝突させる衝突板を前記霧化装置本体に取り付け、
前記衝突板で衝突した噴霧化された液体は前記容器内に供給され、前記通路を介して前記容器の外方へと導かれる
ことを特徴とする霧化装置。
【請求項２】
圧力エアーが供給される管路に臨ませて液体を霧化するベンチュリノズルを配設した霧化装置であって、
前記液体が貯留された容器と、
この容器に装着され、前記容器の内方と外方を連通する通路を有する霧化装置本体とを備え、
前記霧化装置本体に設けた前記ベンチュリノズルを前記容器内に臨ませ、
前記通路の先端部に漏斗状部を設け、
前記漏斗状部の口径の大きい部位は前記液体に、前記漏斗状部の口径の小さい部位は前記通路の先端部に、それぞれ臨むように位置し、
前記ベンチュリノズルより吐出する噴霧化された液体が前記漏斗状部に衝突するように前記ベンチュリノズルの下方に前記漏斗状部を位置させ、
前記漏斗状部の前記液体が衝突する外側の面は前記容器内の液体に向かって下り勾配に傾斜し、
前記容器内の噴霧化された液体は、前記漏斗状部、前記通路を介して前記容器の外へと導かれる
ことを特徴とする霧化装置。
【請求項３】
衝突板に滴下した液体を容器内に導くように前記衝突板は前記容器内の液体に向かって下り勾配に傾斜している
ことを特徴とする請求項１記載の霧化装置。
【請求項４】
通路の途中に前記通路が拡大する拡大部が形成されている
ことを特徴とする請求項１又は請求項２記載の霧化装置。
【発明の詳細な説明】
【技術分野】
【０００１】
本発明は、霧化装置に係り、特に、簡易な手段によりベンチュリノズルより吐出する液体の粒子を小さくすることができる霧化装置に関する。
【背景技術】
【０００２】
従来、圧力エアーが供給される管路に臨ませて液体を霧化するベンチュリノズルを配設した霧化装置がある（特許文献１参照）。
【先行技術文献】
【特許文献】
【０００３】
【特許文献１】特許第４６６４２７８号公報
【発明の概要】
【発明が解決しようとする課題】
【０００４】
しかしながら、上記の霧化装置にあっては、ベンチュリノズルの位置を調整する調節手段はあるものの、ベンチュリノズルより排出される液体の粒子は、これ以上小さくすることができないという問題点があった。
【０００５】
本発明は、前記問題点を考慮してなされたもので、簡易な手段によりベンチュリノズルより吐出する液体の粒子を小さくすることができる霧化装置を提供することを目的とする。
【課題を解決するための手段】
【０００６】
請求項１記載の霧化装置は、液体を霧化するベンチュリノズルを配設した霧化装置であって、前記液体が貯留された容器と、この容器に装着され、前記容器の内方と外方を連通する通路を有する霧化装置本体とを備え、前記霧化装置本体に設けた前記ベンチュリノズルを前記容器内に臨ませ、前記ベンチュリノズルに対向して、前記ベンチュリノズルより吐出する噴霧化された液体を衝突させる衝突板を前記霧化装置本体に取り付け、前記衝突板で衝突した噴霧化された液体は前記容器内に供給され、前記通路を介して前記容器の外方へと導かれるものである。
【０００７】
また、請求項２記載の霧化装置は、圧力エアーが供給される管路に臨ませて液体を霧化するベンチュリノズルを配設した霧化装置であって、前記液体が貯留された容器と、この容器に装着され、前記容器の内方と外方を連通する通路を有する霧化装置本体とを備え、前記霧化装置本体に設けた前記ベンチュリノズルを前記容器内に臨ませ、前記通路の先端部に漏斗状部を設け、前記漏斗状部の口径の大きい部位は前記液体に、前記漏斗状部の口径の小さい部位は前記通路の先端部に、それぞれ臨むように位置し、前記ベンチュリノズルより吐出する噴霧化された液体が前記漏斗状部に衝突するように前記ベンチュリノズルの下方に前記漏斗状部を位置させ、前記漏斗状部の前記液体が衝突する外側の面は前記容器内の液体に向かって下り勾配に傾斜し、前記容器内の噴霧化された液体は、前記漏斗状部、前記通路を介して前記容器の外へと導かれるものである。
【０００８】
また、請求項３記載の霧化装置は、請求項１記載の霧化装置において、衝突板に滴下した液体を容器内に導くように前記衝突板は前記容器内の液体に向かって下り勾配に傾斜しているものである。
【０００９】
また、請求項４記載の霧化装置は、請求項１又は請求項２記載の霧化装置において、通路の途中に前記通路が拡大する拡大部が形成されているものである。
【発明の効果】
【００１０】
請求項１記載の霧化装置によれば、ベンチュリノズルに対向して、ベンチュリノズルより吐出する噴霧化された液体を衝突板に衝突させるため、衝突板で衝突した液体は、その粒子を小さくして、通路を介して容器の外方へと導くことができる。
【００１１】
また、請求項２記載の霧化装置によれば、ベンチュリノズルの下方に漏斗状部が位置し、前記ベンチュリノズルより吐出する噴霧化された液体が前記漏斗状部に衝突するため、前記漏斗状部で衝突した液体の粒子を小さくして、漏斗状部、通路を介して容器の外方へと導くことができ、
しかも、漏斗状部の大きな開口部を介して容器内の噴霧化された液体を通路内に取り入れて、容器の外へと導き、
更に、漏斗状部の液体が衝突する外側の面は容器内の液体に向かって下り勾配に傾斜しているため、漏斗状部に滴下した液体を容器内に導いて、液体が漏斗状部に貯留しないようにすることができ、
加えて、漏斗状部は、その外側を噴霧化された液体を衝突させて液体の粒子を小さくする機能に、内側を噴霧化された液体を案内する機能に、それぞれ持たせているため、漏斗状部を霧化装置本体内に効率良くコンパクトに設けることができる。
【００１２】
また、請求項３記載の霧化装置によれば、上述した請求項１記載の発明の効果に加え、衝突板に滴下した液体は容器内に導かれて、液体が衝突板に貯留しないようにすることができる。
【００１３】
また、請求項４記載の霧化装置によれば、上述した請求項１又は請求項２記載の発明の効果に加え、通路の途中に前記通路が拡大する拡大部が形成されているため、噴霧化された液体の通路内で生じる音を低減化させることができる。
【図面の簡単な説明】
【００１４】
【図１】図１は、本発明の一実施例の霧化装置の概略的図である。
【図２】図２は、図１の一部を拡大して示す概略的一部拡大図である。
【発明を実施するための形態】
【００１５】
本発明の一実施例の霧化装置を図面（図１及び図２）を参照して説明する。
図１に示すＭは霧化装置で、霧化装置Ｍは、圧力エアーが供給される管路１１に臨ませて液体を霧化するベンチュリノズル１２を配設した周知のもので、霧化する対象は、容器１内の、例えば、アロマオイルを含んだ液体２である。
【００１６】
霧化装置Ｍは、液体２が貯留された容器１と、この容器１に装着され、容器１の内方と外方を連通する通路１３を有する霧化装置本体１０とを備えている。
通路１３は、容器１内の噴霧化された液体を容器１の外へと導くものである。そして、通路１３の途中には、通路１３が拡大する拡大部１３Ａが形成されている。この拡大部１３Ａは、噴霧化された液体の通路１３内で生じる音を低減化させるためのものである。
【００１７】
また、霧化装置本体１０に設けたベンチュリノズル１２を容器１内に臨ませている。
なお、図１及び図２に示すように、容器１に入れた液体２に細い通路３を立て、その上部に高速で空気を吹き付けるとベンチュリ効果により負圧が発生し、通路３から液体２が吸い上げられる。吸い上げられた液体２はその空気によって霧状にして容器１内に噴射されることとなる。
【００１８】
また、図１及び図２に示す１４は衝突板で、衝突板１４はベンチュリノズル１２に対向して、ベンチュリノズル１２より吐出する噴霧化された液体を衝突させて、その粒子を小さくするものである。
衝突板１４で衝突した噴霧化された液体は容器１内に供給され、通路１３を介して容器１の外方へと導かれる。なお、衝突板１４は、霧化装置本体１０に取り付けられている。
なお、衝突板１４に滴下した液体を容器１内に導くように衝突板１４は、図２に示すように、容器１内の液体２に向かって下り勾配に傾斜している。
その結果、衝突板１４に滴下した液体は容器１内に導かれ、液体が衝突板１４に貯留しないようにすることができる。
【００１９】
従って、上述した霧化装置Ｍによれば、ベンチュリノズル１２に対向して、ベンチュリノズル１２より吐出する噴霧化された液体を衝突板１４に衝突させるため、衝突板１４で衝突した液体は、その粒子を小さくして、通路１３を介して容器１の外方へと導くことができる。
【００２０】
上述した衝突板１４は、具体的には、通路１３の先端部に設けた漏斗状部で、漏斗状部（衝突板１４）の口径の大きい部位Ａは液体２に、漏斗状部（衝突板１４）の口径の小さい部位Ｂは通路１３の先端部に、それぞれ臨むように位置している。
そして、ベンチュリノズル１２より吐出する噴霧化された液体が漏斗状部（衝突板１４）に衝突するようにベンチュリノズル１２の下方に漏斗状部（衝突板１４）を位置させ、漏斗状部（衝突板１４）の液体が衝突する外側の面Ｃは容器１内の液体に向かって下り勾配に傾斜している。
その結果、容器１内の噴霧化された液体は、漏斗状部（衝突板１４）、通路１３を介して容器１の外へと導かれることとなる。
【００２１】
上述した霧化装置Ｍによれば、ベンチュリノズル１２の下方に漏斗状部（衝突板１４）が位置し、ベンチュリノズル１２より吐出する噴霧化された液体が漏斗状部（衝突板１４）に衝突するため、漏斗状部（衝突板１４）で衝突した液体の粒子を小さくして、漏斗状部（衝突板１４）、通路１３を介して容器１の外方へと導くことができ、しかも、漏斗状部（衝突板１４）の大きな開口部Ａを介して容器１内の噴霧化された液体を通路１３内に取り入れて、容器１の外へと導き、更に、漏斗状部（衝突板１４）の液体が衝突する外側の面は容器１内の液体に向かって下り勾配に傾斜しているため、漏斗状部（衝突板１４）に滴下した液体を容器１内に導いて、液体が漏斗状部（衝突板１４）に貯留しないようにすることができ、加えて、漏斗状部（衝突板１４）は、その外側を噴霧化された液体を衝突させて液体の粒子を小さくする機能に、内側を噴霧化された液体を案内する機能に、それぞれ持たせているため、漏斗状部（衝突板１４）を霧化装置本体１０内に効率良くコンパクトに設けることができる。
【符号の説明】
【００２２】
Ｍ        霧化装置
１        容器
２        液体
１０      霧化装置本体
１１      管路
１２      ベンチュリノズル
１３      通路
１４      衝突板
【図１】
2016112539.tif 000003
【図２】
2016112539.tif 000004